(57)【要約】【課題】構造が簡単で取り扱いが容易な上、安全に使用できる起立補助装置とそれを備えた椅子を提供する。【解決手段】椅子９ａはキャスター１０及び支柱１１からなる脚部１２と、フレーム１４によって背もたれ１５が取り付けられる座部１３との間に、断面コの字状の平板からなる上面板２及び基底板３と、上面板側面２ｂの後部に回動自在に軸支される掛止手段４と、基底板３の後端から一部を突出するように基底板平面３ａに設置される止具５とを備えて基底板側面３ｂ前部に設置された軸６に上面板側面２ｂ前部が傾動可能に取り付けられるとともに基底板側面３ｂ及び止具５に切欠部７及び突出部８がそれぞれ設けられた起立補助装置１ａが介装された構造となっている。【選択図】図１
2007089613.tif 000002
【特許請求の範囲】
【請求項１】
椅子の座部と脚部の間に介装される起立補助装置において、前記脚部の上端に略水平に取り付けられる基底板と、前記座部の下面に略水平に取り付けられる上面板とを備え、この上面板は前記基底板に傾動可能に前端部が軸支されることを特徴とする起立補助装置。
【請求項２】
前記基底板は前記上面板の前方に延設される延設部を備え、前記上面板は前記基底板に対して所望の角度傾動した場合に前記前端部が前記延設部に当接することを特徴とする請求項１記載の起立補助装置。
【請求項３】
前記上面板は、前記基底板に対して所望の角度傾動した場合に前記基底板に設置された止具に掛止する掛止手段を備えることを特徴とする請求項１記載の起立補助装置。
【請求項４】
前記基底板に対して所望の角度傾動した前記上面板の位置を保持する保持手段を備えることを特徴とする請求項１乃至請求項３のいずれか１項に記載の起立補助装置。
【請求項５】
請求項１乃至請求項４のいずれか１項に記載された起立補助装置を備えることを特徴とする起立補助椅子。
【発明の詳細な説明】
【技術分野】
【０００１】
本発明は、高齢者や身障者あるいは妊婦や肥満した人が椅子から立ち上がる際にその動作を補助する装置とそれを備えた椅子に係り、特に、構造が簡単で取り扱いが容易な上、安全に使用できる起立補助装置とそれを備えた椅子に関する。
【背景技術】
【０００２】
高齢者や身障者などにとって椅子から立ち上がるという動作は、下肢に過大な負荷がかかるため、大変な重労働となる。そこで、このような課題に対処するため、従来、椅子から立ち上がる動作を補助する装置や椅子に関して様々な発明や考案がなされている。
【０００３】
例えば、特許文献１には、「立ち上がり補助椅子」という名称で、体力の低下した者が椅子から立ち上がろうとする際に座部を押し上げることによりその動作を補助する立ち上がり補助椅子に関する発明が開示されている。
【０００４】
以下、図５を参照しながら、特許文献１に開示された発明について説明する。
図５は従来技術に係る立ち上がり補助椅子の右側面図である。
図５に示すように、従来技術に係る発明である立ち上がり補助椅子５１は、４本の木製の脚５７，５８からなる脚部５２と、脚部５２の上端部にボルト止めされる肘掛け５５と、下面に押し上げ板６２が取り付けられた座部５３と、背板６１及び背クッション６０からなる背もたれ部５４とを備えており、座部５３の下部に押し上げ用ばね６６及び図示しないガスシリンダを有する座部押し上げ機構５６が設置され、肘掛け５５の先端側には操作部６３及び操作片６４が取り付けられている。
上記構造の「立ち上がり補助椅子」において、利用者が立ち上がる際に肘掛け５５の上面部６５に配置されている操作片６４を押さえ込むと、押し上げ用ばね６６は座部５３の後端部５９を押し上げる。そして、ガスシリンダは押し上げ用ばね６６の押し上げ速度を低く抑えるように作用する。従って、利用者は安全かつ容易に立ち上がり動作を行うことができる。
【０００５】
また、特許文献２には「着座および起立補助装置付椅子」という名称で、利用者が下肢に体重負荷をかけずに、着座及び起立を容易に行うことのできる椅子に関する発明が開示されている。
特許文献２に開示された発明は、前脚及び後脚からなる左右一対の脚体と、この脚体に水平に支持される座席受フレームと、この座席受フレームの左右両側辺に設けられるブラケットと、裏面左右両側に前部支持片及び後部支持片が垂設される座席と、長杆及び短杆が連結杆を介してＸ状に交差され形成される左右一対のリンク部材と、連結杆と座席受フレーム後端部の間に締緩調節自在に装着されるばね部材とを備えるものである。そして、長杆の上下両端をブラケットの前部及び座席下面の後部支持片にそれぞれ枢支させ、短杆の上下両端を座席下面の前部支持片及びブラケットに設けられた長孔に摺動ピンを介して遊嵌させるとともに、ばね部材の付勢により無負荷状態及び負荷状態において座席をそれぞれ前傾及び水平に位置させるように構成されている。
上記構造の「着座および起立補助装置付椅子」においては、前傾状態の座席に着座して体重をかけることにより、ばね部材が伸長してリンク部材が徐々に水平に近づくため、楽に着座することができる。また、着座状態から起立する場合には、座席に掛かる体重が減少することにより、伸長していたばね部材が収縮してリンク部材が水平状態から起立し、座席を徐々に前傾させるため、着座者は楽に起立することが可能である。
【０００６】
さらに、特許文献３には「起立補助椅子」という名称で、高齢者や身障者で下肢の筋力が低下した人が容易かつ安全に使用できる上、低価格で家庭環境に適した汎用性のある福祉用起立補助椅子に関する考案が開示されている。
特許文献３に開示された「起立補助椅子」は、下面の四隅を、下端にブレーキ付キャスターを設けた４本の脚柱により保持される座枠体と、前縁部が座枠体に内設したばね圧調整機構の前縁部に軸支される座褥板と、ばね圧調整機構に設けられるコイルばねと、座枠体に設けられるとともに座褥板を係脱自在に係着する係止装置とを備え、座枠体の左右に設けた肘掛け桿の後方延長部を手押し桿部とするものである。
上記構造の「起立補助椅子」においては、左右の手で肘掛け桿を握り、座褥板又は座褥上に腰掛けると、下方に回動して座枠体の上面に当接した座辱板が係止装置によって固定されるため、着席者は椅子に楽に腰掛けることが出来る。また、椅子から立ち上がる時は、係止装置のレバーを操作して係合を解除するとともに手で左右の肘掛け桿を握って腰を浮かせると、ばねの反発力によって座褥板が上方に回動するため、使用者は膝や腰に負担をかける事なく容易に立ち上がることが出来る。
【特許文献１】特開平１１−２９０３８６号公報
【特許文献２】特開平７−８８１３５号公報
【特許文献３】実開平７−９３２７号公報
【発明の開示】
【発明が解決しようとする課題】
【０００７】
しかしながら、上述の従来技術である特許文献１乃至特許文献３に開示された発明や考案においては、ばねやガスシリンダを備えた複雑な構造であるため、椅子が重くなり持ち運び難いとともに、製造コストが高くなるという課題があった。また、利用者が着座していない時は座部が傾斜した状態となっているため、座部が邪魔になって運搬や収納がし辛いという課題があった。
【０００８】
本発明はかかる従来の事情に対処してなされたものであり、構造が簡単で取り扱いが容易な上、安全に使用できる起立補助装置とそれを備えた椅子を提供することを目的とする。
【課題を解決するための手段】
【０００９】
上記目的を達成するため、請求項１記載の発明である起立補助装置は、椅子の座部と脚部の間に介装される起立補助装置において、脚部の上端に略水平に取り付けられる基底板と、座部の下面に略水平に取り付けられる上面板とを備え、この上面板は基底板に傾動可能に前端部が軸支されることを特徴とするものである。
このような構造の起立補助装置においては、椅子に取り付けた場合に利用者の体重移動によって座部が上面板と一体となって傾動する。これにより、座部は前方が低く後方が高くなるように傾斜する。
【００１０】
また、請求項２記載の発明は、請求項１記載の起立補助装置において、基底板は上面板の前方に延設される延設部を備え、上面板は基底板に対して所望の角度傾動した場合に前端部が延設部に当接することを特徴とするものである。
このような構造の起立補助装置においては、椅子に取り付けた場合に、座部が所望の角度以上傾斜しないという作用を有する。
【００１１】
請求項３記載の発明は、請求項１記載の起立補助装置において、上面板は、基底板に対して所望の角度傾動した場合に基底板に設置された止具に掛止する掛止手段を備えることを特徴とするものである。
このような構造の起立補助装置においては、椅子に取り付けた場合に、止具と掛止手段が座部を所望の角度以上に傾斜させないように作用する。
【００１２】
請求項４記載の発明は、請求項１乃至請求項３のいずれか１項に記載の起立補助装置において、基底板に対して所望の角度傾動した上面板の位置を保持する保持手段を備えることを特徴とするものである。
このような構造の起立補助装置においては、椅子に取り付けた場合に、保持手段が座部の傾斜状態を保持するように作用する。
【００１３】
請求項５記載の発明である起立補助椅子は、請求項１乃至請求項４のいずれか１項に記載された起立補助装置を備えることを特徴とするものである。
このような構造の起立補助椅子においては、請求項１乃至請求項４のいずれか１項に記載された発明と同様の作用を有する。
【発明の効果】
【００１４】
以上説明したように、本発明の請求項１記載の起立補助装置においては、利用者が容易に立ち上がることができる。また、利用者の体重移動によって座部の傾斜角度が調節されるため、操作が容易である。さらに、構造が簡単であり、既存の椅子に対して容易に取り付けることができるとともに、安価に製造することが可能である。そして、軽いため、持ち運びも容易である。
【００１５】
本発明の請求項２記載の起立補助装置においては、椅子に取り付けた場合に、座部が所望の角度以上傾斜しないため、利用者が誤って椅子から落ちることがなく、安全である。
【００１６】
本発明の請求項３記載の起立補助装置においては、請求項２に記載された発明と同様の効果を奏する。
【００１７】
本発明の請求項４記載の起立補助装置においては、椅子に取り付けた場合に、傾斜した座部が不用意に傾動して水平状態に戻ることがないため、安全である。また、座部の傾斜を何段階かに分けて少しずつ行うことができるため、利用者が非力な場合でも操作が容易である。
【００１８】
本発明の請求項５記載の起立補助装置においては、請求項１乃至請求項４のいずれか１項に記載された発明と同様の効果を奏する。
【発明を実施するための最良の形態】
【００１９】
以下に、本発明の最良の実施の形態に係る起立補助装置と起立補助椅子の実施例について説明する。
【実施例１】
【００２０】
実施例１について図１及び図２を用いて説明する（特に請求項１、請求項３及び請求項５に対応）。
図１（ａ）は本発明の実施の形態に係る起立補助装置の実施例１の斜視図であり、（ｂ）及び（ｃ）は実施例１の起立補助装置の側面図である。
図１（ａ）に示すように、本実施例の起立補助装置１ａは、断面コの字状の平板からなる上面板２及び基底板３と、上面板側面２ｂの後部にその端部４ｂ，４ｂが回動自在に軸支される掛止手段４と、基底板３の後端から一部を突出するように基底板平面３ａに設置される止具５とを備えるものである。そして、上面板側面２ｂの前部は基底板側面３ｂの前部に設置された軸６に回動可能に取り付けられ、基底板側面３ｂには掛止手段４の端部４ｂより大きな径の半円状の切欠部７が設けられ、止具５には掛止手段４の掛止部４ａが滑動するスライド部８ａと、そのスライド部８ａの前部に掛止部４ａが掛止可能な突出部８が設けられている。
【００２１】
このような構造の起立補助装置１ａにおいては、基底板平面３ａと上面板平面２ａのなす角度が０度の場合（以下、上面板２を閉じた状態という。）、図１（ｂ）に示すように、掛止手段４の端部４ｂ，４ｂは基底板側面３ｂの切欠部７に嵌合し、また、掛止部４ａは止具５のスライド部８ａの最後方に位置しており、上面板平面２ａは基底板平面３ａと略平行になる。そして、上面板２を閉じた状態から方向Ａで示す向きに徐々に開いていくと、掛止部４ａは止具５のスライド部８ａの上面を方向Ｂで示す向きに滑動し、やがて、図１（ｃ）に示すように、止具５の突出部８に掛止する。従って、上面板２は所定の角度以上に傾動することがない。
【００２２】
次に、起立補助装置１ａを備えた椅子について図２を用いて説明する。
図２（ａ）及び（ｂ）は実施例１の起立補助装置を備えた椅子の側面図である。なお、図１の構成要素と同じものについては、同一の符号を付してその説明を省略する。また、以下の説明において、椅子９ａは略水平状態の床の上に設置されて使用されるものとする。
図２（ａ）に示すように、起立補助装置１ａを備えた椅子９ａは、キャスター１０と支柱１１からなる脚部１２と、起立補助装置１ａを介して脚部１２の上部に設置される座部１３と、フレーム１４によって座部１３に取り付けられる背もたれ１５とから構成される。脚部１２の上端には基底板平面３ａが略水平に取り付けられ、座部１３の下面には上面板平面２ａが略水平に取り付けられている。従って、通常の使用状態では、座部１３は略水平となっている。
これに対し、椅子９ａに座っている利用者が前傾姿勢になって座部１３の前端に方向Ｃで示す向きに体重をかけると、座部１３は上面板２と一体となって軸６を中心として方向Ａで示す向きに傾動する。
座部１３の傾動に伴い、掛止手段４の掛止部４ａは止具５のスライド部８ａの上面を方向Ｂで示す向きに滑動するが、やがて、図２（ｂ）に示すように、止具５の突出部８に掛止する。これにより、座部１３の傾動は停止する。利用者が起立した後には、座部１３や背もたれ１５の自重によって掛止部４ａは、止具５のスライド部８ａを符号Ｂで示される矢印の方向とは逆に滑動して図２（ａ）に示される状態に復帰する。
【００２３】
以上説明したように、本実施例の起立補助装置１ａとそれを備えた椅子９ａにおいては、座部１３が前方を低くして後方を高くするように傾斜するため、利用者の起立動作が補助される。また、利用者の体重移動によって座部１３が容易に傾斜し、その傾斜角度は利用者の体重移動によって調節できるため、操作性が良い。さらに、座部１３が所望の角度以上傾斜しないため、利用者が誤って椅子９ａから落ちる危険性が低い。そして、軽量構造であるため、持ち運びや収納が容易である。また、簡単な構造であり、既存の椅子に対しても容易に取り付けることができるため、製造コストを安くすることが可能である。
【００２４】
本実施例では、掛止手段４及び軸６を中実構造としているが、中空構造としても良い。また、掛止手段４と止具５の個数は１個に限らず、２個以上としても良い。さらに、上面板２が開いた後に基底板３となす角度の最大値が所望の値となるように、掛止部４ａと突出部８との掛止位置は適宜調整することが望ましい。
また、切欠部７を浅く形成する、あるいは切欠部７そのものを設けないようにすることによって、利用者が着座している状態で上面板２と基底板３とが５〜１５度の範囲内の角度をなすようにしても良い。この場合、利用者は着座している状態で座部１３が予め前方に傾斜しているため、体重移動による座部１３の傾動をより容易に行うことができる。なお、上記角度が５度よりも小さい場合には、上述の座部１３の傾動を容易にする効果が小さく、上記角度が１５度より大きい場合には、着座している状態の利用者が常に傾斜を感じて不安になったり、あるいは着座中に徐々に座部１３からずれ落ちるなどのおそれがある。
さらに、止具５を基底板上面３ａに設置する際に、基底板３の後端から止具５の一部を突出させないようにしても良い。この場合、基底板３によって止具５の強度が高められるため、利用者の体重が掛止手段４を介してスライド部８ａに加えられた場合でも、止具５は変形することがない。
【実施例２】
【００２５】
実施例２について図３を用いて説明する（特に請求項４に対応）。
図３（ａ）は本発明の実施の形態に係る起立補助装置の実施例２の斜視図であり、（ｂ）は突起部の拡大図であり、（ｃ）は実施例２の起立補助装置を備えた椅子の側面図である。なお、図１及び図２の構成要素と同じものについては、同一の符号を付してその説明を省略する。
図３（ａ）に示すように、本実施例の起立補助装置１ｂは、実施例１の起立補助装置１ａにおいて、掛止手段４の掛止部４ａにレバー１６が延設され、止具５に傾斜面１７ａと凹状の立面１７ｂを有する突起部１７が設けられた構造となっている。また、基底板側面３ｂには、レバー１６と干渉しないように切欠部７ａが設けられている。
上面板２の傾動に伴う掛止手段４の移動状態について図３（ｂ）を用いて詳細に説明する。なお、突起部１７の両側に位置する掛止手段４を区別するため、それぞれ掛止手段４ｘ及び掛止手段４ｙと表すものとする。上面板２を開く方向に傾動させた場合、図３（ｂ）に示すように、掛止手段４ｘは全体として方向Ｂで示す向きに引っ張られる。これにより、掛止手段４ｘはその掛止部４ａを傾斜面１７ａに当接させながら方向Ｄで示す向きに摺動して容易に乗り越えることができる。そして、突起部１７を乗り越えて掛止手段４ｙの状態となる。
これに対し、上面板２を閉じる方向に傾動させようとすると、掛止手段４ｙには方向Ｂと逆向きの力が加わる。しかし、掛止手段４ｙは掛止部４ａが立面１７ｂに係合し、方向Ｂと逆の向きには移動できないため、上面板２の閉じる方向への傾動が阻止される。すなわち、突起部１７は上面板２の位置を保持する保持手段として作用する。
なお、レバー１６を方向Ｅで示す向きに引き上げると、凹面１７ｂに対して掛止手段４ｙの掛止部４ａを係合させないようにすることができる。これにより、突起部１７による保持動作を解除して、上面板２を閉じる方向に傾動させることが可能となる。
図３（ｃ）に示すように、起立補助装置１ｂを備えた椅子９ｂは、脚部１２と座部１３の間に起立補助装置１ｂが介装された構造となっている。通常の使用状態では、座部１３は略水平であるが、椅子９ｂに座った利用者が前傾姿勢になって座部１３の前端に方向Ｃで示す向きに体重をかけると、座部１３は上面板２と一体となって軸６を中心として方向Ａで示す向きに傾動する。
座部１３の傾動に伴い、掛止手段４の下端部は突起部１７を順次乗り越えて、掛止手段４は全体として方向Ｂで示す向きに移動する。しかし、掛止手段４は掛止部４ａが突起部１７の立面１７ｂと係合する場合には、方向Ｂと逆の向きには移動できない構造となっている。
このような構造の起立補助装置１ｂを備えた椅子９ｂにおいては、傾動後の座部１３の傾斜状態が数段階に分けて保持されるという作用を有する。
【００２６】
以上説明したように、本実施例の起立補助装置１ｂとそれを備えた椅子９ｂにおいては、利用者の立ち上がり動作中に傾斜した座部１３が不用意に傾動して水平状態に戻ることがなく、万一利用者が立ち上がることができず再び座部へ体重をかけてしまうような場合においても安全である。また、座部１３を何段階かに分けて少しずつ傾斜させることができるため、非力な利用者でも容易に操作することが可能である。
【００２７】
なお、突起部１７の個数は２個に限定されるものではなく、適宜変更可能である。また、掛止手段４の下端部と係合する突起部１７の立面１７ｂの形状は、凹状に限定されるものではなく、掛止手段４の掛止部４ａの摺動を抑制する形状であれば良く、例えば、摩擦が大きくなるように微小な凹凸を形成した面や鉤状に形成した面としても良い。
【実施例３】
【００２８】
実施例３について図４を用いて説明する（特に請求項２に対応）。
図４（ａ）及び（ｂ）は本発明の実施の形態に係る起立補助装置の実施例３を備えた椅子の側面図である。なお、図１及び図２の構成要素と同じものについては、同一の符号を付してその説明を省略する。
図４に示すように、本実施例の起立補助装置１ｃは、実施例１の起立補助装置１ａにおいて、掛止手段４及び止具５に代えて、基底板２の前端に延設部１８を備えるものである。また、上面板側面２ｂの後部両側には係止金具１９，１９がそれぞれ軸支され、基底板側面３ｂの後部両側にはピン２０，２０がそれぞれ取り付けられている。
このような構造の起立補助装置１ｃにおいては、上面板２を開く方向に傾動させていくと、やがて、上面板２の前端部が基底板３の延設部１８に当接する。従って、上面板２は所定の角度以上に回動することがない。また、係止金具１９をピン２０に係止することによって、上面板２の閉じた状態が保持される。
図４（ｃ）に示すように、起立補助装置１ｃを備えた椅子９ｃは、脚部１２と座部１３の間に起立補助装置１ｃが介装された構造となっている。
このような構造の起立補助装置１ｃを備えた椅子９ｃにおいては、椅子９ｃに座った利用者が前傾姿勢になって座部１３の前端に方向Ｃで示す向きに体重をかけると、座部１３は上面板２と一体となって軸６を中心として方向Ａで示す向きに傾動する。そして、基底板３の前端が上面板２の延設部１８に当接すると、座部１３の傾動は止まる。また、係止金具１９をピン２０に係止すれば、座部１３は水平状態に保たれる。
なお、本実施例においては、基底板３に延設部１８を設けて、上面板２の前端部をこの延設部１８に当接させて傾動を抑制したが、逆に上面板２の前端部から基底板側面３ｂと干渉しないように延設部を形成し、この延設部の端部を基底板平面３ａに当接させて傾動を抑制するように構成してもよい。
【００２９】
以上説明したように、本実施例の起立補助装置１ｃとそれを備えた椅子９ｃにおいては、実施例１よりもさらに簡単な構造で実施例１と同様の効果を得ることができる。また、係止金具１９とピン２０によって座部１３が不用意に傾斜しないようにすることができるため、安全に持ち運ぶことが可能である。
【００３０】
本発明の起立補助装置を備えた椅子は、本実施の形態に限定されるものではなく、種々、変形可能である。例えば、腕置きを備えた構造であっても良いし、１本の支柱と複数個のキャスターの代わりに４本足を備えた構造としても良い。また、背もたれがない構造とすることもできる。さらに、上面板上に座部を設置したものを車椅子の座面に直接取り付けて使用することも可能である。
【産業上の利用可能性】
【００３１】
以上説明したように、請求項１乃至請求項５に記載された発明は、高齢者や身障者あるいは妊婦や肥満した人が椅子から立ち上がる動作を補助する装置や椅子に適用可能である。
【図面の簡単な説明】
【００３２】
【図１】（ａ）は本発明の実施の形態に係る起立補助装置の実施例１の斜視図であり、（ｂ）及び（ｃ）は実施例１の起立補助装置の側面図である。
【図２】（ａ）及び（ｂ）は実施例１の起立補助装置を備えた椅子の側面図である。
【図３】（ａ）は本発明の実施の形態に係る起立補助装置の実施例２の斜視図であり、（ｂ）は突起部の拡大図であり、（ｃ）は実施例２の起立補助装置を備えた椅子の側面図である。
【図４】（ａ）及び（ｂ）は本発明の実施の形態に係る起立補助装置の実施例３を備えた椅子の側面図である。
【図５】従来技術に係る立ち上がり補助椅子の右側面図である。
【符号の説明】
【００３３】
１ａ〜１ｃ…起立補助装置  ２…上面板  ２ａ…上面板平面  ２ｂ…上面板側面  ３…基底板  ３ａ…基底板平面  ３ｂ…基底板側面  ４，４ｘ，４ｙ…掛止手段  ４ａ…掛止部  ４ｂ…端部  ５…止具  ６…軸  ７，７ａ…切欠部  ８…突出部  ８ａ…スライド部  ９ａ〜９ｃ…椅子  １０…キャスター  １１…支柱  １２…脚部  １３…座部  １４…フレーム  １５…背もたれ  １６…レバー  １７…突起部  １７ａ…傾斜面  １７ｂ…立面  １８…延設部  １９…係止金具  ２０…ピン  ５１…立ち上がり補助椅子  ５２…脚部  ５３…座部  ５４…背もたれ部  ５５…肘掛け  ５６…座部押し上げ機構  ５７，５８…脚  ５９…後端部  ６０…背クッション  ６１…背板  ６２…押し上げ板  ６３…操作部  ６４…操作片  ６５…上面部  ６６…押し上げ用ばね  Ａ〜Ｅ…方向
【図１】
2007089613.tif 000003
【図２】
2007089613.tif 000004
【図３】
2007089613.tif 000005
【図４】
2007089613.tif 000006
【図５】
2007089613.tif 000007